(57)【特許請求の範囲】
【請求項１】
センタ局と複数のユーザ局から構成され、
センタ局が管理する通信回線はセンタ局からの下り回線として利用し、
前記下り回線に未使用帯域がある場合にのみ、該未使用帯域をユーザ局からの上り回線としてユーザ局が共用し、
ユーザ局は各々の蓄積データを上り回線を用いてセンタ局へ送信する無線通信システムにおける無線通信方法であって、
センタ局は、下り回線の未使用帯域に関する情報と、ユーザ局の送信順序情報と、ユーザ局１局あたりのデータ送信時間情報とを含む制御信号を、前記複数のユーザ局へ送信し、
前記未使用帯域が発生する時点で、前記複数のユーザ局に開始通知信号を送信するとともに、終了する時点で終了通知信号を送信し、
ユーザ局は、受信した前記制御信号と開始通知信号から自局の回線割当時間を算出し、前記回線割当時間に蓄積データを送信する、
ことを特徴とする無線通信方法。
【請求項２】
センタ局と複数のユーザ局から構成され、
センタ局が管理する通信回線はセンタ局からの下り回線として利用し、
前記下り回線に未使用帯域がある場合にのみ、該未使用帯域をユーザ局からの上り回線としてユーザ局が共用し、
ユーザ局は各々の蓄積データを上り回線を用いてセンタ局へ送信する無線通信システムにおける無線通信方法であって、
センタ局は、下り回線の未使用帯域に関する情報と、ユーザ局１局あたりのデータ送信時間情報とを含む制御信号を、前記複数のユーザ局へ送信し、
前記未使用帯域が発生する時点で、前記複数のユーザ局に開始通知信号を送信するとともに、終了する時点で終了通知信号を送信し、
ユーザ局は、前記開始通知信号の受信から通信回線を監視して自局の回線割当時間の開始を判断し、自局の回線割当時間が開始したと判断した場合は、データ送信時間情報で指定される時間内で蓄積データを送信する、
ことを特徴とする無線通信方法。
【請求項３】
センタ局が送信する制御信号は、ユーザ局の送信順序情報を含み、
ユーザ局は、前記送信順序情報で自局の前に送信順序が指定されているユーザ局からのデータ送信の停止又はデータ終了パケットの送信により、自局の回線割当時間が開始したことを判断する請求項２に記載の無線通信方法。
【請求項４】
ユーザ局は、通信回線が空きである場合に、自局の回線割当時間が開始したことを判断する請求項２に記載の無線通信方法。
【請求項５】
センタ局と複数のユーザ局から構成され、
センタ局が管理する通信回線はセンタ局からの下り回線として利用し、
前記下り回線に未使用帯域がある場合にのみ、該未使用帯域をユーザ局からの上り回線としてユーザ局が共用し、
ユーザ局は各々の蓄積データを上り回線を用いてセンタ局へ送信する無線通信システムにおける無線通信方法であって、
センタ局は、下り回線の未使用帯域に関する情報と、ユーザ局の送信順序情報と、ユーザ局１局あたりのデータ送信時間情報とを管理し、
前記未使用帯域の発生から、
センタ局において、下り回線の未使用帯域に関する情報を含む制御信号を、ユーザ局へ送信するステップと、
制御信号を受信したユーザ局において蓄積データを送信するステップと、
センタ局において、データ送信時間情報で指定される時間の経過時に制御信号を送信したユーザ局に終了通知信号を送信するステップと、
を、前記ユーザ局の送信順序情報の順序に従い、未使用帯域が終了するまで繰り返す、
ことを特徴とする無線通信方法。
【請求項６】
蓄積データを有するユーザ局は、予め通信要求信号をセンタ局に送信し、
センタ局は、通信要求信号を送信したユーザ局を順序付けして送信順序情報を生成することを特徴とする請求項５に記載の無線通信方法。
【請求項７】
センタ局は、ユーザ局における蓄積データの送信が、データ送信時間情報で指定される時間の経過までに終了した場合、終了した時点で、送信順序情報の順序で次の順序に指定されているユーザ局に制御信号を送信することを特徴とする請求項５又は６に記載の無線通信方法。
【請求項８】
センタ局は、下り回線の未使用帯域を上り回線として利用している途中で、未使用帯域の帯域幅の変更を行う場合、前記複数のユーザ局に終了通知信号を送信し、
変更後の未使用帯域に関する情報を含む制御信号を、複数のユーザ局に送信することを特徴とする請求項１から７のいずれか１項に記載の無線通信方法。
【請求項９】
ユーザ局は、蓄積データの送信中に、データ送信時間情報で指定される時間が経過し、又は、終了通知信号を受信した場合には、蓄積データの送信を停止し、未送信のデータを蓄積することを特徴とする請求項１から７のいずれか１項に記載の無線通信方法。
【請求項１０】
センタ局と複数のユーザ局から構成され、
センタ局が管理する通信回線はセンタ局からの下り回線として利用し、
前記下り回線に未使用帯域がある場合にのみ、該未使用帯域をユーザ局からの上り回線としてユーザ局が共用し、
ユーザ局は各々の蓄積データを上り回線を用いてセンタ局へ送信する無線通信システムにおけるセンタ局の通信回線割当方法であって、
下り回線の未使用帯域に関する情報と、ユーザ局１局あたりのデータ送信時間情報とを含む制御信号を、前記複数のユーザ局へ送信し、
前記未使用帯域が発生する時点で、前記複数のユーザ局に開始通知信号を送信し、
前記未使用帯域が終了する時点で、前記複数のユーザ局に終了通知信号を送信する、
ことを特徴とする通信回線割当方法。
【請求項１１】
前記制御信号は、ユーザ局の送信順序情報を含むことを特徴とする請求項１０に記載の通信回線割当方法。
【請求項１２】
センタ局と複数のユーザ局から構成され、
センタ局が管理する通信回線はセンタ局からの下り回線として利用し、
前記下り回線に未使用帯域がある場合にのみ、該未使用帯域をユーザ局からの上り回線としてユーザ局が共用し、
ユーザ局は各々の蓄積データを上り回線を用いてセンタ局へ送信する無線通信システムにおけるセンタ局の通信回線割当方法であって、
下り回線の未使用帯域に関する情報と、ユーザ局の送信順序情報と、ユーザ局１局あたりのデータ送信時間情報とを管理し、
前記未使用帯域の発生から、
下り回線の未使用帯域に関する情報を含む制御信号を、ユーザ局へ送信するステップと、
データ送信時間情報で指定される時間の経過時に制御信号を送信したユーザ局に終了通知信号を送信するステップと、
を、前記ユーザ局の送信順序情報の順序に従い、未使用帯域が終了するまで繰り返す、
ことを特徴とする通信回線割当方法。
【請求項１３】
蓄積データを有するユーザ局からの通信要求信号を受信し、通信要求信号を送信したユーザ局を順序付けして送信順序情報を生成することを特徴とする請求項１２に記載の通信回線割当方法。
【請求項１４】
ユーザ局における蓄積データの送信が、データ送信時間情報で指定される時間の経過までに終了した場合、終了した時点で、送信順序情報の順序で次の順序に指定されているユーザ局に制御信号を送信することを特徴とする請求項１２又は１３に記載の通信回線割当方法。
【請求項１５】
下り回線の未使用帯域を上り回線として利用している途中で、未使用帯域の帯域幅の変更を行う場合、前記複数のユーザ局に終了通知信号を送信し、
変更後の未使用帯域に関する情報を含む制御信号を、複数のユーザ局に送信することを特徴とする請求項１０から１４のいずれか１項に記載の通信回線割当方法。
【請求項１６】
センタ局と複数のユーザ局から構成され、
センタ局が管理する通信回線はセンタ局からの下り回線として利用し、
前記下り回線に未使用帯域がある場合にのみ、該未使用帯域をユーザ局からの上り回線としてユーザ局が共用し、
ユーザ局は各々の蓄積データを上り回線を用いてセンタ局へ送信する無線通信システムにおけるセンタ局装置であって、
下り回線の未使用帯域に関する情報と、ユーザ局１局あたりのデータ送信時間情報とを含む制御信号を、前記複数のユーザ局へ送信する手段と、
前記未使用帯域が発生する時点で、前記複数のユーザ局に開始通知信号を送信する手段と、
前記未使用帯域が終了する時点で、前記複数のユーザ局に終了通知信号を送信する手段と、
を有することを特徴とするセンタ局装置。
【請求項１７】
前記制御信号は、ユーザ局の送信順序情報を含むことを特徴とする請求項１６に記載のセンタ局装置。
【請求項１８】
センタ局と複数のユーザ局から構成され、
センタ局が管理する通信回線はセンタ局からの下り回線として利用し、
前記下り回線に未使用帯域がある場合にのみ、該未使用帯域をユーザ局からの上り回線としてユーザ局が共用し、
ユーザ局は各々の蓄積データを上り回線を用いてセンタ局へ送信する無線通信システムにおけるセンタ局装置であって、
下り回線の未使用帯域に関する情報と、ユーザ局の送信順序情報と、ユーザ局１局あたりのデータ送信時間情報とを管理する手段と、
前記未使用帯域の発生から、
下り回線の未使用帯域に関する情報を含む制御信号を、ユーザ局へ送信し、
データ送信時間情報で指定される時間の経過時に制御信号を送信したユーザ局に終了通知信号を送信することを、
前記ユーザ局の送信順序情報の順序に従い、未使用帯域が終了するまで繰り返す手段と、
を有することを特徴とするセンタ局装置。
【請求項１９】
蓄積データを有するユーザ局からの通信要求信号を受信する手段と、
通信要求信号を送信したユーザ局を順序付けして送信順序情報を生成する手段と、
を有することを特徴とする請求項１８に記載のセンタ局装置。
【請求項２０】
ユーザ局における蓄積データの送信が、データ送信時間情報で指定される時間の経過までに終了した場合、終了した時点で、送信順序情報の順序で次の順序に指定されているユーザ局に制御信号を送信する手段を有することを特徴とする請求項１８又は１９に記載のセンタ局装置。
【請求項２１】
下り回線の未使用帯域を上り回線として利用している途中で、未使用帯域の帯域幅の変更を行う場合、前記複数のユーザ局に終了通知信号を送信し、変更後の未使用帯域に関する情報を含む制御信号を、複数のユーザ局に送信する手段を有することを特徴とする請求項１６から２０のいずれか１項に記載のセンタ局装置。
【請求項２２】
センタ局と複数のユーザ局から構成され、
センタ局が管理する通信回線はセンタ局からの下り回線として利用し、
前記下り回線に未使用帯域がある場合にのみ、該未使用帯域をユーザ局からの上り回線としてユーザ局が共用し、
ユーザ局は各々の蓄積データを上り回線を用いてセンタ局へ送信する無線通信システムにおけるコンピュータを、
下り回線の未使用帯域に関する情報と、ユーザ局１局あたりのデータ送信時間情報とを含む制御信号を、前記複数のユーザ局へ送信する手段と、
前記未使用帯域が発生する時点で、前記複数のユーザ局に開始通知信号を送信する手段と、
前記未使用帯域が終了する時点で、前記複数のユーザ局に終了通知信号を送信する手段と、
して機能させることを特徴とするプログラム。
【請求項２３】
前記制御信号は、ユーザ局の送信順序情報を含むことを特徴とする請求項２２に記載のプログラム。
【請求項２４】
センタ局と複数のユーザ局から構成され、
センタ局が管理する通信回線はセンタ局からの下り回線として利用し、
前記下り回線に未使用帯域がある場合にのみ、該未使用帯域をユーザ局からの上り回線としてユーザ局が共用し、
ユーザ局は各々の蓄積データを上り回線を用いてセンタ局へ送信する無線通信システムにおけるコンピュータを、
下り回線の未使用帯域に関する情報と、ユーザ局の送信順序情報と、ユーザ局１局あたりのデータ送信時間情報とを管理する手段と、
前記未使用帯域の発生から、
下り回線の未使用帯域に関する情報を含む制御信号を、ユーザ局へ送信し、
データ送信時間情報で指定される時間の経過時に制御信号を送信したユーザ局に終了通知信号を送信することを、
前記ユーザ局の送信順序情報の順序に従い、未使用帯域が終了するまで繰り返す手段と、して機能させることを特徴とするプログラム。
【請求項２５】
コンピュータを、
蓄積データを有するユーザ局からの通信要求信号を受信する手段と、
通信要求信号を送信したユーザ局を順序付けして送信順序情報を生成する手段と、
して機能させることを特徴とする請求項２４に記載のプログラム。
【請求項２６】
コンピュータを、
ユーザ局における蓄積データの送信が、データ送信時間情報で指定される時間の経過までに終了した場合、終了した時点で、送信順序情報の順序で次の順序に指定されているユーザ局に制御信号を送信する手段として機能させること特徴とする請求項２４又は２５に記載のプログラム。
【請求項２７】
コンピュータを、
下り回線の未使用帯域を上り回線として利用している途中で、未使用帯域の帯域幅の変更を行う場合、前記複数のユーザ局に終了通知信号を送信し、変更後の未使用帯域に関する情報を含む制御信号を、複数のユーザ局に送信する手段として機能させることを特徴とする請求項２２から２６のいずれか１項に記載のプログラム。
【請求項２８】
前記請求項２２から２７のいずれか１項に記載のプログラムを記録した記録媒体。
【発明の詳細な説明】
【０００１】
【発明の属する技術分野】
本発明は、無線通信方法並びにセンタ局における通信回線割当方法、センタ局装置、通信回線割当プログラム及び該プログラムを記録した記録媒体に関する。
【０００２】
【従来の技術】
センタ局と複数のユーザ局とからなるスター型の衛星通信網において、ユーザ局がデータ通信を行う場合、下り回線（センタ局からユーザ局へのデータを送信する通信回線）と、上り回線（ユーザ局からセンタ局へのデータを送信する通信回線）とを用いる。
【０００３】
同報性のある衛星通信において、センタ局が送出する電波は、カバーエリア内の複数のユーザ局によって受信される。従って、ユーザ局宛てのデータを時間多重送信することにより、複数ユーザ局は、同一下り回線を利用可能となる。さらに、同一回線中のデータに識別子を付与する等により、複数の論理的な通信チャネルを実現することができ、論理通信チャネル毎に通信速度を制限することも可能となる。
【０００４】
衛星通信の地球局装置として汎用的な単一キャリア／固定レート変復調装置を利用する場合、下り回線周波数および帯域は、常に一定である必要があり、下り回線中の論理チャネルが利用されていない場合には、空きパケットを送出する必要がある。
【０００５】
一方、一般的に上り回線を利用する場合、下り回線とは別の周波数に上り回線用帯域を確保する。そして、ＦＤＭＡ方式やＴＤＭＡ方式、ランダムアクセス方式を用いることで、複数ユーザ局が同一回線を共有する方法が取られる。
【０００６】
図１は、従来の通信形態の構成図である。図１によれば、制御回線および通信回線があり、制御回線には、センタ局からの送信用と、ユーザ局からの送信用とがある。また、通信回線についても、センタ局からの下り回線と、ユーザ局からの上り回線とで、それぞれの通信回線帯域が必要である。図１では、ユーザ局は、ＴＤＭＡ方式を用いてセンタ局にデータ送出する例とする。
【０００７】
【発明が解決しようとする課題】
従来の通信形態では、下り回線の利用状況や上り回線の利用状況にかかわらず、下り回線と上り回線とを別の周波数帯域で実現する必要がある。また、下り回線中のある論理チャネルが利用されていない場合には、空きパケットをダミーで送出することになり、帯域の利用効率が低下してしまう。同一下り回線の他の論理チャネルを利用するユーザ局用の通信速度を増加することもできるが、チャネル単位で帯域利用ユーザ局を限定している場合には、チャネルの速度変更は衛星回線の提供形態上、困難である。この空き下り回線チャネルを、チャネルを利用するユーザ局の上り回線として利用できれば、このチャネルを無駄なく利用可能なり、また上り回線用の帯域確保が不要となる。
【０００８】
地球局装置が固定レート変復調装置の場合は、下り回線の周波数、帯域が常に一定となるが、可変レート変復調装置を用いることで、空いている下り回線分の帯域を減らし、その代わりに上り回線用キャリアとして利用可能となる。これにより、上下衛星回線帯域の有効利用を図ることができる。
【０００９】
ここで、下り回線の空き時間を利用して上り回線を実現するために、複数ユーザ局に対する上り回線割当方法が課題となる。
【００１０】
従って、本発明は、複数ユーザ局に対して上り回線を割当て、通信回線を提供することを目的とする。
【００１１】
【課題を解決するための手段】
本発明の無線通信方法によれば、
センタ局と複数のユーザ局から構成され、センタ局が管理する通信回線はセンタ局からの下り回線として利用し、前記下り回線に未使用帯域がある場合にのみ、該未使用帯域をユーザ局からの上り回線としてユーザ局が共用し、ユーザ局は各々の蓄積データを上り回線を用いてセンタ局へ送信する無線通信システムにおける無線通信方法であって、センタ局は、下り回線の未使用帯域に関する情報と、ユーザ局の送信順序情報と、ユーザ局１局あたりのデータ送信時間情報とを含む制御信号を、前記複数のユーザ局へ送信し、前記未使用帯域が発生する時点で、前記複数のユーザ局に開始通知信号を送信するとともに、終了する時点で終了通知信号を送信し、ユーザ局は、受信した前記制御信号と開始通知信号から自局の回線割当時間を算出し、前記回線割当時間に蓄積データを送信することを特徴とする。
【００１２】
また、本発明の無線通信方法によれば、
センタ局と複数のユーザ局から構成され、センタ局が管理する通信回線はセンタ局からの下り回線として利用し、前記下り回線に未使用帯域がある場合にのみ、該未使用帯域をユーザ局からの上り回線としてユーザ局が共用し、ユーザ局は各々の蓄積データを上り回線を用いてセンタ局へ送信する無線通信システムにおける無線通信方法であって、センタ局は、下り回線の未使用帯域に関する情報と、ユーザ局１局あたりのデータ送信時間情報とを含む制御信号を、前記複数のユーザ局へ送信し、前記未使用帯域が発生する時点で、前記複数のユーザ局に開始通知信号を送信するとともに、終了する時点で終了通知信号を送信し、ユーザ局は、前記開始通知信号の受信から通信回線を監視して自局の回線割当時間の開始を判断し、自局の回線割当時間が開始したと判断した場合は、データ送信時間情報で指定される時間内で蓄積データを送信することを特徴とする。
【００１３】
更に、本発明の無線通信方法によれば、
センタ局が送信する制御信号は、ユーザ局の送信順序情報を含み、ユーザ局は、前記送信順序情報で自局の前に送信順序が指定されているユーザ局からのデータ送信の停止又はデータ終了パケットの送信により、自局の回線割当時間が開始したことを判断することも好ましい。
【００１４】
更に、本発明の無線通信方法によれば、
ユーザ局は、通信回線が空きである場合に、自局の回線割当時間が開始したことを判断することも好ましい。
【００１５】
更に、本発明の無線通信方法によれば、
センタ局と複数のユーザ局から構成され、センタ局が管理する通信回線はセンタ局からの下り回線として利用し、前記下り回線に未使用帯域がある場合にのみ、該未使用帯域をユーザ局からの上り回線としてユーザ局が共用し、ユーザ局は各々の蓄積データを上り回線を用いてセンタ局へ送信する無線通信システムにおける無線通信方法であって、センタ局は、下り回線の未使用帯域に関する情報と、ユーザ局の送信順序情報と、ユーザ局１局あたりのデータ送信時間情報とを管理し、前記未使用帯域の発生から、センタ局において、下り回線の未使用帯域に関する情報を含む制御信号を、ユーザ局へ送信するステップと、制御信号を受信したユーザ局において蓄積データを送信するステップと、センタ局において、データ送信時間情報で指定される時間の経過時に制御信号を送信したユーザ局に終了通知信号を送信するステップとを、前記ユーザ局の送信順序情報の順序に従い、未使用帯域が終了するまで繰り返すことを特徴とする。
【００１６】
更に、本発明の無線通信方法によれば、
蓄積データを有するユーザ局は、予め通信要求信号をセンタ局に送信し、センタ局は、通信要求信号を送信したユーザ局を順序付けして送信順序情報を生成することも好ましい。
【００１７】
更に、本発明の無線通信方法によれば、
センタ局は、ユーザ局における蓄積データの送信が、データ送信時間情報で指定される時間の経過までに終了した場合、終了した時点で、送信順序情報の順序で次の順序に指定されているユーザ局に制御信号を送信することも好ましい。
【００１８】
更に、本発明の無線通信方法によれば、
センタ局は、下り回線の未使用帯域を上り回線として利用している途中で、未使用帯域の帯域幅の変更を行う場合、前記複数のユーザ局に終了通知信号を送信し、変更後の未使用帯域に関する情報を含む制御信号を、複数のユーザ局に送信することも好ましい。
【００１９】
更に、本発明の無線通信方法によれば、
ユーザ局は、蓄積データの送信中に、データ送信時間情報で指定される時間が経過し、又は、終了通知信号を受信した場合には、蓄積データの送信を停止し、未送信のデータを蓄積することも好ましい。
【００２０】
本発明によるセンタ局での通信回線割当方法によれば、
センタ局と複数のユーザ局から構成され、センタ局が管理する通信回線はセンタ局からの下り回線として利用し、前記下り回線に未使用帯域がある場合にのみ、該未使用帯域をユーザ局からの上り回線としてユーザ局が共用し、ユーザ局は各々の蓄積データを上り回線を用いてセンタ局へ送信する無線通信システムにおけるセンタ局の通信回線割当方法であって、下り回線の未使用帯域に関する情報と、ユーザ局１局あたりのデータ送信時間情報とを含む制御信号を、前記複数のユーザ局へ送信し、前記未使用帯域が発生する時点で、前記複数のユーザ局に開始通知信号を送信し、前記未使用帯域が終了する時点で、前記複数のユーザ局に終了通知信号を送信することを特徴とする。
【００２１】
また、本発明によるセンタ局での通信回線割当方法によれば、
前記制御信号は、ユーザ局の送信順序情報を含むことも好ましい。
【００２２】
更に、本発明によるセンタ局での通信回線割当方法によれば、
センタ局と複数のユーザ局から構成され、センタ局が管理する通信回線はセンタ局からの下り回線として利用し、前記下り回線に未使用帯域がある場合にのみ、該未使用帯域をユーザ局からの上り回線としてユーザ局が共用し、ユーザ局は各々の蓄積データを上り回線を用いてセンタ局へ送信する無線通信システムにおけるセンタ局の通信回線割当方法であって、下り回線の未使用帯域に関する情報と、ユーザ局の送信順序情報と、ユーザ局１局あたりのデータ送信時間情報とを管理し、前記未使用帯域の発生から、下り回線の未使用帯域に関する情報を含む制御信号を、ユーザ局へ送信するステップと、データ送信時間情報で指定される時間の経過時に制御信号を送信したユーザ局に終了通知信号を送信するステップとを、前記ユーザ局の送信順序情報の順序に従い、未使用帯域が終了するまで繰り返すことを特徴とする。
【００２３】
更に、本発明によるセンタ局での通信回線割当方法によれば、
蓄積データを有するユーザ局からの通信要求信号を受信し、通信要求信号を送信したユーザ局を順序付けして送信順序情報を生成することも好ましい。
【００２４】
更に、本発明によるセンタ局での通信回線割当方法によれば、
ユーザ局における蓄積データの送信が、データ送信時間情報で指定される時間の経過までに終了した場合、終了した時点で、送信順序情報の順序で次の順序に指定されているユーザ局に制御信号を送信することも好ましい。
【００２５】
更に、本発明によるセンタ局での通信回線割当方法によれば、
下り回線の未使用帯域を上り回線として利用している途中で、未使用帯域の帯域幅の変更を行う場合、前記複数のユーザ局に終了通知信号を送信し、変更後の未使用帯域に関する情報を含む制御信号を、複数のユーザ局に送信することも好ましい。
【００２６】
本発明によるセンタ局装置によれば、
センタ局と複数のユーザ局から構成され、センタ局が管理する通信回線はセンタ局からの下り回線として利用し、前記下り回線に未使用帯域がある場合にのみ、該未使用帯域をユーザ局からの上り回線としてユーザ局が共用し、ユーザ局は各々の蓄積データを上り回線を用いてセンタ局へ送信する無線通信システムにおけるセンタ局装置であって、下り回線の未使用帯域に関する情報と、ユーザ局１局あたりのデータ送信時間情報とを含む制御信号を、前記複数のユーザ局へ送信する手段と、前記未使用帯域が発生する時点で、前記複数のユーザ局に開始通知信号を送信する手段と、前記未使用帯域が終了する時点で、前記複数のユーザ局に終了通知信号を送信する手段とを有することを特徴とする。
【００２７】
また、本発明のセンタ局装置によれば、
前記制御信号は、ユーザ局の送信順序情報を含むことも好ましい。
【００２８】
更に、本発明のセンタ局装置によれば、
センタ局と複数のユーザ局から構成され、センタ局が管理する通信回線はセンタ局からの下り回線として利用し、前記下り回線に未使用帯域がある場合にのみ、該未使用帯域をユーザ局からの上り回線としてユーザ局が共用し、ユーザ局は各々の蓄積データを上り回線を用いてセンタ局へ送信する無線通信システムにおけるセンタ局装置であって、下り回線の未使用帯域に関する情報と、ユーザ局の送信順序情報と、ユーザ局１局あたりのデータ送信時間情報とを管理する手段と、前記未使用帯域の発生から、下り回線の未使用帯域に関する情報を含む制御信号を、ユーザ局へ送信し、データ送信時間情報で指定される時間の経過時に制御信号を送信したユーザ局に終了通知信号を送信することを、前記ユーザ局の送信順序情報の順序に従い、未使用帯域が終了するまで繰り返す手段とを有することを特徴とする。
【００２９】
更に、本発明のセンタ局装置によれば、
蓄積データを有するユーザ局からの通信要求信号を受信する手段と、通信要求信号を送信したユーザ局を順序付けして送信順序情報を生成する手段とを有することも好ましい。
【００３０】
更に、本発明のセンタ局装置によれば、
ユーザ局における蓄積データの送信が、データ送信時間情報で指定される時間の経過までに終了した場合、終了した時点で、送信順序情報の順序で次の順序に指定されているユーザ局に制御信号を送信する手段を有することも好ましい。
【００３１】
更に、本発明のセンタ局装置によれば、
下り回線の未使用帯域を上り回線として利用している途中で、未使用帯域の帯域幅の変更を行う場合、前記複数のユーザ局に終了通知信号を送信し、変更後の未使用帯域に関する情報を含む制御信号を、複数のユーザ局に送信する手段を有することも好ましい。
【００３２】
更に、本発明のプログラムによれば、コンピュータを前記センタ局装置として機能させることを特徴とする。
【００３３】
本発明によるプログラムを記録した記録媒体によれば、前記プログラムを記録した記録媒体である。
【００３４】
【発明の実施の形態】
以下では、図面を用いて、本発明の実施の形態を詳細に説明する。
【００３５】
複数のユーザ局に対して上り回線を割り当てるため、センタ局は、まずチャネル毎の下り回線利用状況を把握し、下り回線の空き帯域が発生する時間にユーザ局群に対して上り回線として割り当てる。各ユーザ局は、下り回線として利用されている期間中は、センタ局への送出データを蓄積しておく。
【００３６】
各ユーザ局に対して上り回線を割り当てる方法として、ユーザ局自律型の方法と、ユーザ局他律型の方法とがある。ユーザ局自律型の方法は、ユーザ局に割り当てる順番と割当時間を通知し、それぞれのユーザ局が自局の割当順番を把握して、該当する上り回線周波数を設定し、蓄積データを送出する。ユーザ局他律型の方法は、センタ局から割当順番に従って送出許可信号をユーザ局に対して送出し、送出許可されたユーザ局は同時に通知される上り回線周波数を設定して蓄積データを送出する。更に、両方法において下り回線が再度利用され始める時間の前には、上り回線時間が終了することをユーザ局へ通知し、下り回線を受信できる状態を設定する。
【００３７】
図２は、本発明における通信形態の構成図である。図２によれば、センタ局からの下り回線の空き時間に、下り回線用帯域を削減し、そのかわりにユーザ局に上り回線として割り当てている。これにより、ユーザ局からの上り回線を実現しながら、上り回線用の新たな帯域を追加する必要がなくなる。
【００３８】
図３は、本発明による通信回線の利用例である。通信帯域における下り回線の空き時間を、ユーザ局毎の上り回線に割り当てたものである。
【００３９】
（第１の実施形態）
本発明の第１の実施形態について、図４〜図６を参照して説明する。尚、第１の実施形態は、請求項１、１１、１７及び２３に相当する。
【００４０】
第１の実施形態では、センタ局がある衛星通信回線を管理し、通常この通信回線はセンタ局から複数ユーザ局に向けたデータ配信に利用される。通信回線のほか、センタ局と複数ユーザ局間には制御回線があり、通信回線がすべて利用されていても制御信号の送受信は行える。
【００４１】
センタ局からの配信データは、ユーザ局に配信されコンテンツとして蓄積された後に随時利用される非リアルタイム系および映像として配信されユーザ局で再生表示するリアルタイム系を扱うことが可能である。複数のデータ配信に通信回線を利用するため、センタ局は通信回線のスケジュール管理を行い配信データ毎に回線利用時間と利用帯域を割り当てる。
【００４２】
図４は、センタ局の構成図である。センタ局は、衛星送受信装置、通信管理端末およびコンテンツサーバで構成される。また、センタ局は、ゲートウェイを介して外部ネットワークとも接続されている。
【００４３】
ユーザ局通信管理端末は、センタ局から配信されるデータを受信する。そして、該端末は、受信データの再生表示、受信データの蓄積、また受信データのＰＣ端末へのリキャストも可能である。ＰＣ端末は、センタ局からのデータを受信可能であり、またセンタ局に対する非リアルタイム系のデータを送出可能である。各ＰＣ端末は、送出データが発生すると通信管理端末へ転送し、通信管理端末ではデータを随時蓄積する。
【００４４】
センタ局通信管理端末は、管理している衛星回線スケジュールから、センタ局からデータ配信する下り回線の空き時間および空き帯域を把握する。ユーザ局で蓄積したデータを送出するため、下り回線の空き時間を複数ユーザ局の上り回線として割り当てる。
【００４５】
図５は、第１の実施形態の上り回線割当のシーケンス図である。また、図６は、センタ局通信管理端末の機能構成図である。
【００４６】
センタ局通信管理端末は、全ユーザ局に送信順序を付与し、ユーザ局と送信順序の対応情報を生成する。また、１ユーザ局に送信時間として割り当てる時間情報（Ｔ）と、上り回線として割当可能な周波数および帯域の情報とを生成する。下り回線の空き時間が始まった時点で、全ユーザ局に対してこれらの情報を含む制御情報を制御回線で全ユーザ局に配信することで、上り回線割当に必要な情報を通知する。また、上り回線受信用の周波数および帯域の情報を衛星送受信装置へ設定する。
【００４７】
各ユーザ局通信管理端末では、制御情報を受信すると通知された自局の送信順序を登録し、１ユーザ局あたりの送信時間Ｔを登録し、周波数および帯域の情報を衛星送受信装置に設定する。
【００４８】
センタ局通信管理端末で、通信開始信号を全ユーザ局に対して配信して上り回線割当を開始する。
【００４９】
各ユーザ局通信管理端末は、通信開始信号を受信した時点から経過時間を計測し、経過時間と自局の送信順序と１ユーザ局あたりの送信時間Ｔから自局に割り当てられた送出時間を導出する。自局の送信順序がＮ番目の場合、通信開始信号を受信した時点から時間Ｔ＊（Ｎ−１）が経過した時点が自局の一度目の送信開始時刻となる。また一度目の送信終了時刻はＴ＊Ｎとなる。ユーザ局通信管理部では蓄積した送信データを自局の送信割当時間中にセンタ局に向けて送出する。送信終了時刻の時点で蓄積データをすべて送出し終わらない場合には、次回の送信割当時間まで待機する。
【００５０】
センタ局通信管理端末は、各ユーザ局から送出されるデータを受信し、ユーザ局毎にまとめて管理する。必要に応じて配下のネットワークにデータを転送する。
【００５１】
センタ局通信管理端末は、上り回線として利用可能な通信回線が変更になる場合には、全ユーザ局に対して一度通信終了信号を配信してユーザ局の送出を停止する。続けて変更後の周波数情報等を含む制御情報を全ユーザ局に対して配信、通知することで上り回線の変更を実施し、再度通信開始信号を配信して上り回線の割当を開始する。
【００５２】
センタ局通信管理端末は、下り回線の空き時間が終わる時点で通信終了信号を全ユーザ局に配信する。ユーザ局は、通信終了信号を受信すると、上り回線割当が終了したことを認識し、自局の割当時間でデータ送出中であっても送出を終了し、送り終えないデータは次回の送信割当時間まで蓄積しておく。
【００５３】
以上のセンタ局機能はプログラムでも実現可能であり、また本プログラムを記憶媒体に記憶することも可能である。
【００５４】
また、衛星回線の回線制御を行う制御局を設け、センタ局からの下り回線の管理および下り回線の空き時間を利用した上り回線割当を実施し、センタ局ではユーザ局へのデータ配信およびユーザ局からのデータ受信を行う形態でも実現可能である。
【００５５】
（第２の実施形態）
本発明の第２の実施形態について、図７〜図１０を参照して説明する。尚、第２の実施形態は、請求項２、３、１０、１１、１６、１７、２２及び２３に関する。
【００５６】
第２の実施形態における通信形態、衛星回線の利用方法、センタ局構成、ユーザ局構成は、第１の実施形態と同様とする。また、第１の実施形態と同様に、センタ局通信管理端末は、管理している衛星回線スケジュールから、センタ局からデータ配信する下り回線の空き時間および空き帯域を把握し、ユーザ局で蓄積したデータを送出するため、下り回線の空き時間を複数ユーザ局の上り回線として割り当てる。
【００５７】
図７は、第２の実施形態の上り回線割当のシーケンス図である。また、図８は、センタ局通信管理端末の機能構成図である。
【００５８】
センタ局通信管理端末は、全ユーザ局に送信順序を付与し、ユーザ局と送信順序の対応情報を生成する。また、上り回線として割当可能な周波数および帯域の情報を生成する。下り回線の空き時間が始まった時点で全ユーザ局に対してこれらの情報を含む制御情報を制御回線で全ユーザ局に配信することで、上り回線割当に必要な情報を通知する。また、上り回線受信用の周波数および帯域の情報を衛星送受信装置へ設定する。
【００５９】
各ユーザ局通信管理端末では、制御情報を受信すると通知された自局の送信順序を登録し、周波数および帯域の情報を衛星送受信装置へ設定する。
【００６０】
センタ局通信管理端末で、通信開始信号を全ユーザ局に対して配信して上り回線割当を開始する。
【００６１】
各ユーザ局通信管理端末は、通信開始信号を受信した時点から、自局が送信順序である場合は指定された上り回線で蓄積した送信データを送出し、その他のユーザ局は上り回線として割当てられる周波数を常に監視する。各ユーザ局の衛星送受信装置において、上り回線の周波数および帯域の情報を受信用として衛星送受信装置に設定することで、上り回線の監視を行う。
【００６２】
ユーザ局は、上り回線の監視中に、自局の前のユーザ局が送信終了した時点で、自局の送信時間が開始されたと認識する。前のユーザ局の送信終了は上り回線にキャリアを確認できなくなってから一定時間経過した時点で判断することも可能であり、または前のユーザ局が送出終了時に送出終了パケットを送信し、監視中のユーザ局はこの送出終了パケットを受信した時点で送信終了と判定可能である。
【００６３】
自局の送信時間において、ユーザ局は、蓄積データをセンタ局へ送出する。
【００６４】
センタ局通信管理端末は、各ユーザ局から送出されるデータを受信し、ユーザ局毎にまとめて管理する。必要に応じて配下のネットワークにデータを転送する。
【００６５】
センタ局通信管理端末は、上り回線として利用可能な通信回線が変更になる場合には、全ユーザ局に対して一度通信終了を配信してユーザ局の送出を停止する。続けて変更後の周波数情報等を含む制御情報を全ユーザ局に対して配信、通知することで上り回線の変更を実施し、再度通信開始信号を配信して上り回線の割当を開始する。
【００６６】
センタ局通信管理端末は、下り回線の空き時間が終わる時点で通信終了信号を全ユーザ局に配信する。ユーザ局は通信終了信号を受信すると上り回線割当が終了したことを認識し、自局の割当時間でデータ送出中であっても送出を終了し、送り終えないデータは次回の送信割当時間まで蓄積しておく。
【００６７】
ここで、上り回線はすべての蓄積データを送出するまで利用可能であり、蓄積データが少ない場合には早い時点で次のユーザ局へ上り回線を割当てられるが、逆に蓄積データが大量で上り回線を長時間占有してしまうこともある。これに対し、上り回線の制御情報に１ユーザ局当たりの最大送出時間（Ｔｍａｘ）を含めて配信することで、あるユーザ局が上り回線を長時間占有してしまうことを回避可能にもなる。
【００６８】
図９は、Ｔｍａｘを用いる場合の上り回線割当のシーケンス図である。また、図１０は、センタ局通信管理端末の機能構成図である。
【００６９】
この場合、センタ局通信管理端末において、下り回線の空き時間が始まった時点で、全ユーザ局に配信する上り回線割当てに関する制御情報に、１ユーザ局に送信時間として割り当てる最大時間情報（Ｔｍａｘ）を含める。各ユーザ局通信管理端末では、制御情報を受信すると１ユーザ局あたりの最大送信時間Ｔｍａｘも登録しておく。
【００７０】
各ユーザ局通信管理端末は、自局の送出時間が開始された時点から経過時間を計測し、蓄積した送信データをセンタ局に向けて送出する。経過時間がＴｍａｘとなった時点で、蓄積データをすべて送出し終らない場合には、送出を終了し次回の送信割当て時間まで待機する。
【００７１】
以上のセンタ局機能は、プログラムでも実現可能であり、また本プログラムを記憶媒体に記憶することも可能である。
【００７２】
また、衛星回線の回線制御を行う制御局を設け、センタ局からの下り回線の管理および下り回線の空き時間を利用した上り回線割当を実施し、センタ局ではユーザ局へのデータ配信およびユーザ局からのデータ受信を行う形態でも実現可能である。
【００７３】
（第３の実施形態）
本発明の第３の実施形態について、図１１〜図１４を参照して説明する。尚、第３の実施形態は、請求項２、４、１０、１６及び２２に関する。
【００７４】
第３の実施形態における通信形態、衛星回線の利用方法、センタ局構成、ユーザ局構成は、第１の実施形態と同様とする。また、第１の実施形態と同様に、センタ局通信管理端末は、管理している衛星回線スケジュールから、センタ局からデータ配信する下り回線の空き時間および空き帯域を把握し、ユーザ局で蓄積したデータを送出するため、下り回線の空き時間を複数ユーザ局の上り回線として割り当てる。
【００７５】
図１１は、第３の実施形態の上り回線割当のシーケンス図である。また、図１２は、センタ局通信管理端末の機能構成図である。
【００７６】
センタ局通信管理端末は、上り回線として割当可能な周波数および帯域の情報を生成する。下り回線の空き時間が始まった時点で、全ユーザ局に対してこれらの情報を含む制御情報を制御回線で全ユーザ局に配信することで、上り回線割当に必要な情報を通知する。また、上り回線受信用の周波数および帯域の情報を衛星送受信装置へ設定する。
【００７７】
各ユーザ局通信管理端末では、制御情報を受信すると通知された周波数および帯域の情報を衛星送受信装置へ設定する。
【００７８】
センタ局通信管理端末で、通信開始信号を全ユーザ局に対して配信して上り回線割当を開始する。
【００７９】
各ユーザ局通信管理端末は、通信開始信号を受信した時点から、上り回線として割当てられた周波数を常に監視する。各ユーザ局の衛星送受信装置において、上り回線の周波数および帯域の情報を受信用として衛星送受信装置に設定することで、上り回線の監視を行う。
【００８０】
各ユーザ局通信管理端末では、自局に蓄積データがあり、かつ上り回線をどのユーザ局も利用していない空き状態と判定した時点で蓄積データをセンタ局へ送出し始める。上り回線が空いていると判定してから送出し始めるまでに端末処理時間や衛星伝播時間があるため、同時に複数ユーザ局が送出を開始する可能性がある。送出を開始したユーザ局はデータ送出中も上り回線の監視を続け、他の送出データとの衝突のために自局のデータが正しく送出されていないと判定した場合には送出を停止し、再度上り回線が空いた時点で送出を行う。
【００８１】
センタ局通信管理端末は、各ユーザ局から送出されるデータを受信し、ユーザ局毎にまとめて管理する。必要に応じて配下のネットワークにデータを転送する。
【００８２】
センタ局通信管理端末は、上り回線として利用可能な通信回線が変更になる場合には、全ユーザ局に対して一度通信終了信号を配信してユーザ局の送出を停止する。続けて変更後の周波数情報等を含む制御情報を全ユーザ局に対して配信、通知することで上り回線の変更を実施し、再度通信開始信号を配信して上り回線の割当を開始する。
【００８３】
センタ局通信管理端末は、下り回線の空き時間が終わる時点で通信終了信号を全ユーザ局に配信する。ユーザ局は通信終了信号を受信すると上り回線割当が終了したことを認識し、自局がデータ送出中であっても送出を終了し、送り終えないデータは次回の送信割当時間まで蓄積しておく。
【００８４】
ここで、上り回線はすべての蓄積データを送出するまで利用可能であり、蓄積データが少ない場合には早い時点で送出終了するが、逆に蓄積データが大量で上り回線を長時間占有してしまうこともある。これに対し、上り回線の制御情報に１ユーザ局当たりの最大送出時間（Ｔｍａｘ）を含めて配信することで、あるユーザ局が上り回線を長時間占有してしまうことを回避可能にもなる。
【００８５】
図１３は、Ｔｍａｘを用いる場合の上り回線割当のシーケンス図である。また、図１４は、センタ局通信管理装置の機能構成図である。
【００８６】
この場合、センタ局通信管理端末において下り回線の空き時間が始まった時点で全ユーザ局に配信する上り回線割当てに関する制御情報に、１ユーザ局に送信時間として割り当てる最大時間情報（Ｔｍａｘ）を含める。各ユーザ局通信管理端末では、制御情報を受信すると１ユーザ局あたりの最大送信時間Ｔｍａｘも登録しておく。
【００８７】
各ユーザ局通信管理端末では、自局が送出開始した時点から経過時間を計測し、蓄積した送信データをセンタ局に向けて送出する。経過時間がＴｍａｘとなった時点で、蓄積データをすべて送出し終わらない場合には、送出を終了し次回の送信割当て時間まで待機する。
【００８８】
以上のセンタ局機能はプログラムでも実現可能であり、また本プログラムを記憶媒体に記憶することも可能である。
【００８９】
また、衛星回線の回線制御を行う制御局を設け、センタ局からの下り回線の管理および下り回線の空き時間を利用した上り回線割当を実施し、センタ局ではユーザ局へのデータ配信およびユーザ局からのデータ受信を行う形態でも実現可能である。
【００９０】
（第４の実施形態）
本発明の第４の実施形態について、図１５〜図１８を参照して説明する。尚、第４の実施形態は、請求項５、７、１２、１４、１８，２０、２４及び２６に相当する。
【００９１】
第４の実施形態における通信形態、衛星回線の利用方法、センタ局構成、ユーザ局構成は、第１の実施形態と同様とする。また、第１の実施形態と同様に、センタ局通信管理端末では、管理している衛星回線スケジュールから、センタ局からデータ配信する下り回線の空き時間および空き帯域を把握し、ユーザ局で蓄積したデータを送出するため、下り回線の空き時間を複数ユーザ局の上り回線として割り当てる。
【００９２】
図１５は、第４の実施形態の上り回線割当のシーケンス図である。また、図１６は、センタ局通信管理端末の機能構成図である。
【００９３】
センタ局通信管理端末では、全ユーザ局に送信順序を付与し、ユーザ局と送信順序の対応情報を登録する。また、１ユーザ局に送信時間として割り当てる時間情報（Ｔ）を登録し、上り回線として割当可能な周波数および帯域の情報を生成する。下り回線の空き時間が始まった時点で１番目の送信順序のユーザ局に対して上り回線の周波数および帯域の制御情報を制御回線で送信するとともに、センタ局衛星送受信装置へ上り回線受信用の周波数および帯域の情報を設定する。
【００９４】
各ユーザ局通信管理端末では、自局が制御情報を受信するとそれが通信開始指示と判断し、周波数および帯域の情報を衛星送受信装置に設定した後、蓄積した送信データを上り回線で送出し始める。
【００９５】
センタ局通信管理端末では、あるユーザ局に対して制御情報を送信してから経過時間を測定し、１局あたりの送信時間を軽過した時点で割当て該当ユーザ局に対して終了通知信号を送出する。
【００９６】
該当ユーザ局では、終了通知信号を受信した時点で、蓄積データをすべて送出し終わらない場合には、送出を終了し次回の送信割当て時間まで待機する。
【００９７】
センタ局通信管理端末では次の送信順序のユーザ局に対して同様の手順で上り回線を割当てる。
【００９８】
センタ局通信管理端末は、各ユーザ局から送出されるデータを受信し、ユーザ局毎にまとめて管理する。必要に応じて配下のネットワークにデータを転送する。
【００９９】
センタ局通信管理端末は、上り回線として利用可能な通信回線が変更になる場合には、あるユーザ局に対して送信する上り回線割当てのための制御情報に変更後の周波数および帯域を含めることで上り回線変更可能である。また、あるユーザ局の送信中に通信回線を変更する場合は、該当ユーザ局に対して一度通信終了信号を送信し、あらたな周波数情報を含む制御情報を送信する。
【０１００】
センタ局通信管理端末は、下り回線の空き時間が終わる時点で通信終了信号を送信中のユーザ局に配信する。ユーザ局は通信終了信号を受信すると上り回線割当が終了したことを認識し、自局の割当時間でデータ送出中であっても送出を終了し、送り終えないデータは次回の送信割当時間まで蓄積しておく。
【０１０１】
ここで、上り回線を割当てられたユーザ局は１ユーザあたりの送信時間中（Ｔ）を利用可能であるが、Ｔよりも早く送出が終了する場合も考えられる。Ｔよりも早く送出が終了した場合には次の送信順序のユーザ局に対して上り回線を割当てることで上り回線の有効利用が可能となる。
【０１０２】
図１７は、早期終了時の上り回線割当のシーケンス図である。また、図１８は、センタ局通信管理端末の機能構成図である。
【０１０３】
ユーザ局の送出終了を判断するため、センタ局通信管理端末において上り回線を監視し、上り回線にキャリアを認識できなくなってから一定時間経過した時点でユーザ局からの送信終了を判断することも可能であり、またはユーザ局が送出終了時に送出終了パケットを送信し、センタ局はこの送出終了パケットを受信した時点で送信終了と判定可能である。
【０１０４】
以上のセンタ局機能はプログラムでも実現可能であり、また本プログラムを記憶媒体に記憶することも可能である。
【０１０５】
また、衛星回線の回線制御を行う制御局を設け、センタ局からの下り回線の管理および下り回線の空き時間を利用した上り回線割当を実施し、センタ局ではユーザ局へのデータ配信およびユーザ局からのデータ受信を行う形態でも実現可能である。
【０１０６】
（第５の実施形態）
本発明の第５の実施形態について、図１９〜図２２を参照して説明する。尚、第５の実施形態は、請求項５〜７、１２〜１４、１８〜２０及び２４〜２６に相当する。
【０１０７】
第５の実施形態における通信形態、衛星回線の利用方法、センタ局構成、ユーザ局構成は、第１の実施形態と同様とする。また、第１の実施形態と同様に、センタ局通信管理端末では管理している衛星回線スケジュールから、センタ局からデータ配信する下り回線の空き時間および空き帯域を把握し、ユーザ局で蓄積したデータを送出するため、下り回線の空き時間を複数ユーザ局の上り回線として割り当てる。
【０１０８】
図１９は、第５の実施形態の上り回線割当のシーケンス図である。また、図２０は、センタ局通信管理端末の機能構成図である。
【０１０９】
各ユーザ局通信管理端末では、ＰＣ端末からデータが転送されて蓄積されると、センタ局通信管理端末に対して通信要求パケットを制御回線経由で送出する。蓄積データがない場合には特に通信要求は行わない。
【０１１０】
センタ局通信管理端末では、通信待ちリストを管理し、ユーザ局から制御回線を介して通信要求パケットを受信すると、該当ユーザ局を通信待ちリストに追加する。複数のユーザ局から通信要求パケットを受信した場合には受信順でリストに追加する。通信待ちリストに登録されたユーザ局を通信待ちグループとする。
【０１１１】
センタ局通信管理端末では、通信待ちグループに含まれるユーザ局に送信順序を付与し、ユーザ局と送信順序の対応情報を登録する。また、１ユーザ局に送信時間として割り当てる時間情報（Ｔ）を登録し、上り回線として割当可能な周波数および帯域の情報を生成する。下り回線の空き時間が始まった時点で１番目の送信順序のユーザ局に対して上り回線の周波数および帯域の制御情報を制御回線で送信するとともに、センタ局衛星送受信装置へ上り回線受信用の周波数および帯域の情報を設定する。
【０１１２】
各ユーザ局通信管理端末では、自局が制御情報を受信するとそれが通信開始指示と判断し、周波数および帯域の情報を衛星送受信装置に設定した後、蓄積した送信データを上り回線で送出し始める。
【０１１３】
センタ局通信管理端末ではあるユーザ局に対して制御情報を送信してから経過時間を測定し、１局あたりの送信時間を経過した時点で割当て該当ユーザ局に対して終了通知信号をする。
【０１１４】
該当ユーザ局では終了通知信号を受信した時点で、蓄積データをすべて送出し終らない場合には、送出を終了し次回の送信割当て時間まで待機する。また、蓄積データをすべて送出し終わった場合には、データ終了通知信号をセンタ局へ送信する。
【０１１５】
センタ局通信管理端末では、次の送信順序のユーザ局に対して同様の手順で上り回線を割当てる。また、データ終了通知信号を受信したユーザ局は通信待ちリストから削除する。
【０１１６】
センタ局通信管理端末は、各ユーザ局から送出されるデータを受信し、ユーザ局毎にまとめて管理する。必要に応じて配下のネットワークにデータを転送する。
【０１１７】
センタ局通信管理端末は、上り回線として利用可能な通信回線が変更になる場合には、あるユーザ局に対して送信する上り回線割当てのための制御情報に変更後の周波数および帯域を含めることで上り回線変更可能である。また、あるユーザ局の送信中に通信回線を変更する場合は、該当ユーザ局に対して一度通信終了信号を送信し、あらたな周波数情報を含む制御情報を送信する。
【０１１８】
センタ局通信管理端末は、下り回線の空き時間が終わる時点で通信終了信号を送信中のユーザ局に配信する。ユーザ局は、通信終了信号を受信すると、上り回線割当が終了したことを認識し、自局の割当時間でデータ送出中であっても送出を終了し、送り終えないデータは次回の送信割当時間まで蓄積しておく。
【０１１９】
ここで、上り回線を割当てられたユーザ局は１ユーザあたりの送信時間中（Ｔ）を利用可能であるが、Ｔよりも早く送出が終了する場合も考えられる。Ｔよりも早く送出が終了した場合には次の送信順序のユーザ局に対して上り回線を割当てることで上り回線の有効利用が可能となる。
【０１２０】
図２１は、早期終了時の上り回線割当のシーケンス図である。また、図２２は、センタ局通信管理端末の機能構成図である。
【０１２１】
ユーザ局の送出終了を判断するため、ユーザ局では、センタ局からの終了通知信号を受信する以前であっても蓄積データがなくなった時点で送出終了パケットを送信し、センタ局はこの送出終了パケットを受信した時点で送信終了と判定する。この場合もセンタ局では通信待ちリストから該当ユーザ局を削除する。
【０１２２】
以上のセンタ局機能はプログラムで実現可能であり、また本プログラムを記憶媒体に記憶することも可能である。
【０１２３】
また、衛星回線の回線制御を行う制御局を設け、センタ局からの下り回線の管理および下り回線の空き時間を利用した上り回線割当を実施し、センタ局ではユーザ局へのデータ配信およびユーザ局からのデータ受信を行う形態でも実現可能である。
【０１２４】
【発明の効果】
本発明は、センタ局が管理する下り衛星回線の空き時間に関し、空き時間中は下り回線帯域を削減し、上り衛星通信回線として利用する。これにより、ユーザ局からの上り回線のために新たな帯域を増加することなくユーザ局からの通信回線を実現可能であり、帯域の有効利用が可能となる。ユーザ局では送信データを蓄積し、自局が送出可能な状態において送出することで、同一上り回線を複数ユーザ局が共有することが可能となる。
【図面の簡単な説明】
【図１】  従来の通信形態の構成図である。
【図２】  本発明における通信形態の構成図である。
【図３】  本発明における通信回線の利用例である。
【図４】  センタ局の構成図である。
【図５】  第１の実施形態における上り回線割当のシーケンス図である。
【図６】  第１の実施形態におけるセンタ局通信管理装置の機能構成図である。
【図７】  第２の実施形態における上り回線割当のシーケンス図（送信時間制限なし）である。
【図８】  第２の実施形態におけるセンタ局通信管理装置の機能構成図（送信時間制限なし）である。
【図９】  第２の実施形態における上り回線割当のシーケンス図（送信時間制限あり）である。
【図１０】  第２の実施形態におけるセンタ局通信管理装置の機能構成図（送信時間制限あり）である。
【図１１】  第３の実施形態における上り回線割当のシーケンス図（送信時間制限なし）である。
【図１２】  第３の実施形態におけるセンタ局通信管理装置の機能構成図（送信時間制限なし）である。
【図１３】  第３の実施形態における上り回線割当のシーケンス図（送信時間制限あり）である。
【図１４】  第３の実施形態におけるセンタ局通信管理装置の機能構成図（送信時間制限あり）である。
【図１５】  第４の実施形態における上り回線割当のシーケンス図（早期終了なし）である。
【図１６】  第４の実施形態におけるセンタ局通信管理装置の機能構成図（早期終了なし）である。
【図１７】  第４の実施形態における上り回線割当のシーケンス図（早期終了あり）である。
【図１８】  第４の実施形態におけるセンタ局通信管理装置の機能構成図（早期終了あり）である。
【図１９】  第５の実施形態における上り回線割当のシーケンス図（早期終了なし）である。
【図２０】  第５の実施形態におけるセンタ局通信管理装置の機能構成図（早期終了なし）である。
【図２１】  第５の実施形態における上り回線割当のシーケンス図（早期終了あり）である。
【図２２】  第５の実施形態におけるセンタ局通信管理装置の機能構成図（早期終了あり）である。
【図１】
0003791435.tif 000002
【図２】
0003791435.tif 000003
【図３】
0003791435.tif 000004
【図４】
0003791435.tif 000005
【図５】
0003791435.tif 000006
【図６】
0003791435.tif 000007
【図７】
0003791435.tif 000008
【図８】
0003791435.tif 000009
【図９】
0003791435.tif 000010
【図１０】
0003791435.tif 000011
【図１１】
0003791435.tif 000012
【図１２】
0003791435.tif 000013
【図１３】
0003791435.tif 000014
【図１４】
0003791435.tif 000015
【図１５】
0003791435.tif 000016
【図１６】
0003791435.tif 000017
【図１７】
0003791435.tif 000018
【図１８】
0003791435.tif 000019
【図１９】
0003791435.tif 000020
【図２０】
0003791435.tif 000021
【図２１】
0003791435.tif 000022
【図２２】
0003791435.tif 000023